【手続補正書】
【提出日】平成20年3月21日(2008.3.21)
【手続補正１】
【補正対象書類名】明細書
【補正対象項目名】特許請求の範囲
【補正方法】変更
【補正の内容】
【特許請求の範囲】
【請求項１】
複数の他の通信網と相互接続された通信網を動作する方法であって、
データ記憶装置と、ユーザ識別子および関係している位置識別子を含むエントリィを有する位置レジスタとを設定するステップと、
該被呼ユーザのユーザ識別子に従って該位置レジスタにアクセスし、対応する関係している位置識別子を確認し、対応するエントリがあるときは、
被呼ユーザの宛先網が該確認された位置識別子に対応している該通信網であるということに基づいて接続設定を実行することによって、
被呼ユーザへ向けて発生された呼に応答するステップとを備え、
該方法は、
前記通信網に現在置かれているユーザの関係している再配置可能なデータパッケージが、前記データ記憶装置に記憶され、
各前記位置識別子が、対応するユーザの関係している再配置可能なデータパッケージの前記通信網に知られている最新の位置を表わすことを特徴とし、
該方法は、
特定のユーザに関する移動要求を前記他の通信網から受信するステップと、それに応答して、
その特定のユーザの関係している再配置可能なデータパッケージをデータ記憶装置から取り出すステップと、
該データパッケージを前記他の通信網に再配置するステップとを含むことを特徴とする、方法。
【請求項２】
該特定のユーザのエントリの位置識別子を前記他の通信網の識別子に変更することによって、該特定のユーザに関する位置レジスタ更新メッセージを前記他の通信網から受信することに応答するステップを含んでいる請求項１記載の方法。
【請求項３】
現在前記通信網に訪問者として登録されているユーザから、その訪問中のユーザの関係している再配置可能なデータパッケージを前記通信網に再配置するようにとの要求を受信するステップと、
その受信に応答して、その訪問中のユーザの識別子により該位置レジスタにアクセスするステップと、もし対応しているエントリィが存在するときは、
該対応しているエントリィの位置識別子を確認するステップと、
その訪問中のユーザに関する移動要求を該確認した位置識別子に対応している該他の通信網に向けて送るステップと、
もしそうでないときは、該他の通信網の少くとも一つに、該訪問中のユーザの関係している再配置可能なデータパッケージを現在記憶している該他の通信網の位置識別子を要求するステップと、
該要求された位置識別子を受信すると、該訪問中のユーザに関する移動要求を、該受信した位置識別子に対応している該他の通信網に向けて送るステップと、
該ユーザの関係している再配置可能なデータパッケージを受信すると、データ記憶装置にそれを記憶するステップとを含む請求項１記載の方法。
【請求項４】
複数の他の通信網と相互接続された通信網を動作する方法であって、該他の通信網の少くとも一つは請求項１記載の方法で動作しており、
訪問者として前記通信網に現在登録されているユーザから、該訪問中のユーザの関係している再配置可能なデータパッケージを前記通信網に再配置する要求を受信するステップと、
その受信に応答して、該他の通信網の中の少くとも一つに、該訪問中のユーザの関係している再配置可能なデータパッケージを現在記憶している該他の通信網の位置識別子を要求するステップと、
該要求された位置識別子を受信すると、該受信した位置識別子に対応している該他の通信網に向けて、該ユーザの関係している再配置可能なデータパッケージを前記通信網に再配置するようにとの移動要求を送るステップと、
該ユーザの関係している再配置可能なデータパッケージを受信すると、それを該ユーザのユーザ識別子に関係付けて記憶するステップとを含む方法。
【請求項５】
受信したユーザの関係している再配置可能なデータパッケージから命令を検索するステップと、該命令に従って、該通信網の所定の組の各々について修正変更を行うステップとを含む請求項３または４記載の方法。
【請求項６】
修正変更を行うステップは、メッセージを生成するステップと、そのメッセージを、命令を検索するステップを実行する該通信網以外の通信網の前記所定の組の各々に向けて送るステップとを含んでいる請求項５記載の方法。
【請求項７】
前記命令は、それぞれの記憶された位置識別子を命令を、検索するステップを実行する網の識別子に変更することにより、それぞれの位置レジスタを修正変更する命令を含んでいる請求項５または６記載の方法。
【請求項８】
前記命令は呼処理用情報を記憶し、かつ該それぞれの位置レジスタを修正変更し、該記憶された呼処理用情報と、受信したユーザの関係している再配置可能なデータパッケージに対応する該エントリィとを関係付ける命令を含む請求項５ないし７のいずれか１項記載の方法。
【請求項９】
該要求するステップは、該訪問中のユーザに関する問合せメッセージをその訪問中のユーザのグローバルアドレスに対応している前記他の通信網の中の該一つに向けて送るステップを含んでいる請求項３ないし８のいずれか１項記載の方法。
【請求項１０】
該要求するステップは該訪問中のユーザに関する問合せメッセージを前記他の通信網の各々に向けて送るステップを含んでいる請求項３ないし８のいずれか１項記載の方法。
【請求項１１】
ある特定のユーザの関係している再配置可能なデータパッケージが前記通信網に現在置かれているその特定のユーザについての呼を、メッセージ記録用サービスに接続して、メッセージを記録するステップと、
これらの記録されたメッセージをその特定のユーザの再配置可能なデータパッケージ内に組入れるステップとを含んでいる請求項１ないし１０のいずれか１項記載の方法。
【請求項１２】
複数の他の通信網と相互に動作し、かつグローバルアドレス用機構を採用するように構成された通信網であって、該通信網は、
ユーザ識別子および関係している位置識別子を各々が含んでいるエントリィを記憶するように構成された位置レジスタと、
該被呼ユーザの識別子に従って該位置レジスタにアクセスし、該関係している位置識別子を確認し、
該被呼ユーザの宛先網が該確認された位置識別子に対応している通信網であるということに基づいて接続を設定することによって、
被呼ユーザに向けて発生された呼に応答するように構成された手段とを備え、
該通信網は、
ユーザの関係している再配置可能なデータパッケージを記憶するように構成されたデータ記憶手段と、
該特定のユーザの関係している再配置可能なデータパッケージをデータ記憶手段から取り出し、
該データパッケージを前記他の通信網に再配置することによって、
データ記憶手段に記憶されている特定のユーザの関係している再配置可能なデータパッケージに関する移動要求を前記他の通信ネットワークから受信することに応答するように構成された手段とを含むことを特徴とする通信網。
【請求項１３】
該特定されたユーザのエントリの位置識別子を前記他の通信網の識別子に変更することによって、前記他の通信網から該特定されたユーザに関しかつ位置レジスタ更新情報を含んでいるメッセージを受信することに応答するように構成された手段を含む請求項１２記載の通信網。
【請求項１４】
該訪問中のユーザの識別子に従って該位置レジスタにアクセスし、
もし対応しているエントリィが存在するときは、
関係している位置識別子を確認し、
確認された位置識別子に対応している該他の通信網に向けて該訪問中のユーザに関する移動要求を送り、
もしそうでないときは、
該他の通信網の少くとも一つに、該訪問中のユーザの関係している再配置可能なデータパッケージを現在記憶している該他の通信網の位置識別子を要求し、該要求された位置識別子を受信すると、
該訪問中のユーザに関する移動要求を、該受信した位置識別子に対応している該他の通信網に向けて送ることによって、
ある訪問中のユーザからの、該訪問中のユーザの関係している再配置可能なデータパッケージを前記通信網に向けて移動するようにとの要求に応答するように構成されている手段を含む請求項１２または１３記載の通信網。
【請求項１５】
少くとも一つが請求項１２記載の他の通信網である、複数の他の通信網と相互に動作するように構成された通信網であって、前記通信網は、
ユーザ識別子および関係している位置識別子を各々が含んでいるエントリィを記憶するように構成された位置レジスタと、
該被呼ユーザの識別子に従って該位置レジスタにアクセスし、該関係している位置識別子を確認し、
該被呼ユーザの宛先網が該確認された位置識別子に対応している通信網であるということに基づいて接続を設定することによって、
被呼ユーザに向けて発生された呼に応答するように構成された手段とを備え、
前記通信網は、
データ記憶手段と、
該他の通信網の少くとも一つに、該訪問中のユーザの関係しているデータパッケージを現在記憶している該他の通信網の位置識別子を要求し、
該要求された位置識別子を受信すると、該受信した位置識別子に対応している該他の通信網に向けて、該ユーザの関係しているデータパッケージが前記通信網に再配置されるようにとの要求を送り、
該ユーザの関係している再配置可能なデータパッケージを受信すると、それを該ユーザのユーザ識別子に関係付けて前記データ記憶手段に記憶することによって、
前記通信網に訪問者として現在登録されているユーザからの、該ユーザの関係している再配置可能なデータパッケージを前記通信網に移動するようにとの要求に応答するように構成された手段とを含むことを特徴とする、通信網。
【請求項１６】
受信したユーザの再配置可能なデータパッケージから命令を検索して、これらの命令に従って、該通信網の所定の組の各々についての修正変更を行うように構成された手段を含んでいる請求項１４または１５記載の通信網。
【請求項１７】
該検索及び修正変更用手段はメッセージを生成し、該メッセージを自己以外の他の該通信網の前記所定の組の各々に向けて送ることによって前記修正変更を行うように構成されている請求項１６記載の通信網。
【請求項１８】
該検索及び修正変更用手段は、該命令に従って、それぞれの記憶された位置識別子をそれ自身の位置識別子に変更することによって、それぞれの位置レジスタを修正変更するように構成されている請求項１６または１７記載の通信網。
【請求項１９】
該命令が呼処理用情報を記憶する命令を含んでいるときに使用され、かつ該検索及び修正変更用手段は、それぞれの位置レジスタを修正変更し、該受信したユーザの関係している再配置可能なデータパッケージに対応しているエントリィと該記憶された呼処理用情報とを関係付けるように構成されている請求項１６ないし１８のいずれか１項に記載の通信網。
【請求項２０】
該訪問中のユーザに関する問合せメッセージを該訪問中のユーザの該グローバルアドレスに対応している前記他の通信網の該一つに向けて送ることによって、前記位置識別子について該他の通信網の少くとも一つへの前記要求を行うように構成されている請求項１４ないし１９の何れか１項記載の通信網。
【請求項２１】
前記他の通信網の各々に対して該訪問中のユーザに関する問合せメッセージを送ることによって、前記位置識別子について該他の通信網の少くとも一つへの前記要求を行うように構成されている請求項１４ないし１９のいずれか１項記載の通信網。
【請求項２２】
メッセージ記録用システムを有し、かつ該特定のユーザの再配置可能なデータパッケージ内部に該記録されたメッセージを組入れることによって、再配置可能なデータパッケージが前記データ記憶手段内に現在記憶されている特定のユーザについての該メッセージ記録用システムにより記録されたメッセージに応答するように構成された手段を含む請求項１２ないし２１のいずれか１項記載の通信網。